(57)【要約】【課題】小型化及び薄型化したレンズであっても良好な接着状態でレンズをホルダー等の他の部材内に保持できるレンズユニットを提供すること。【解決手段】複数のレンズＬ１〜Ｌ５を有するレンズユニット２００であって、少なくとも最も像側の第５レンズＬ５は、熱可塑性樹脂組成物で形成され、樹脂製の接着剤を用いて他の部材である鏡筒部５４に固定され、熱可塑性樹脂組成物は、脂環式骨格を持ち、分子鎖側鎖にヘテロ原子を持つ極性基を有する。【選択図】図１
2015001666.tif 000002
【特許請求の範囲】
【請求項１】
複数のレンズを有するレンズユニットであって、
少なくとも最も像側のレンズは、熱可塑性樹脂組成物で形成され、樹脂製の接着剤を用いて他の部材に固定され、
前記熱可塑性樹脂組成物は、脂環式骨格を持ち、分子鎖側鎖にヘテロ原子を持つ極性基を有することを特徴とするレンズユニット。
【請求項２】
前記ヘテロ原子は、酸素であることを特徴とする請求項１に記載のレンズユニット。
【請求項３】
前記極性基は、エステル基であることを特徴とする請求項１及び２のいずれか一項に記載のレンズユニット。
【請求項４】
前記少なくとも最も像側のレンズの光軸方向における最薄部の厚さは、０．０５ｍｍ以上０．１５ｍｍ以下であることを特徴とする請求項１から３までのいずれか一項に記載のレンズユニット。
【請求項５】
前記少なくとも最も像側のレンズの直径は、３ｍｍ以上８ｍｍ以下であることを特徴とする請求項１から４までのいずれか一項に記載のレンズユニット。
【請求項６】
前記最も像側のレンズを除いた少なくとも１つのレンズは、極性基を有しない樹脂組成物で形成されることを特徴とする請求項１から５までのいずれか一項に記載のレンズユニット。
【請求項７】
前記熱可塑性樹脂組成物は、シクロオレフィン系樹脂で形成されることを特徴とする請求項１から６までのいずれか一項に記載のレンズユニット。
【請求項８】
請求項１から７までのいずれか一項に記載のレンズユニットと、前記レンズユニットによる像を検出する撮像素子とを備えることを特徴とするカメラモジュール。
【発明の詳細な説明】
【技術分野】
【０００１】
この発明は、ホルダー内に複数のレンズを組み込んだレンズユニット及び当該レンズユニットを組み込んだカメラモジュールに関する。
【背景技術】
【０００２】
携帯電話機等に組み込まれる撮像レンズ等のレンズユニットは、結像用のレンズを周囲から保持するようにホルダー内に嵌め込んで固定する構造を有している。携帯電話機等の小型化及び薄型化が進んでおり、レンズユニットも同様に小型化及び薄型化が進んでいる。
【０００３】
一般的に、レンズユニットを構成するレンズの材料には、成形性や吸湿性を考慮してシクロオレフィンポリマーが用いられている。ここで、シクロオレフィンポリマーは接着性が悪いことが知られている。この問題に対して、接着剤の改良（例えば特許文献１、２、３、４参照）、接着表面の改質（例えば特許文献５、６参照）、樹脂材料への官能基の導入（例えば特許文献７参照）、接着面積の十分な確保等により、接着性を確保する方法がとられていた。
【０００４】
しかしながら、レンズが小型化及び薄型化すると、接着面積を十分に確保できなくなる。また、接着剤の改良や接着表面の改質を行っても、接着面積を十分に確保できないことにより、環境試験や衝撃試験によってホルダーからレンズが剥がれてしまうおそれがある。また、樹脂材料に官能基を導入すると、接着性は改善するが、官能基の影響で吸湿率が増加し、屈折率が変化して光学性能が劣化するおそれがある。
【先行技術文献】
【特許文献】
【０００５】
【特許文献１】国際公開ＷＯ２００８／１４９７６６号公報
【特許文献２】特開平５−３０１９１５号公報
【特許文献３】特開２０１２−１４４６４１号公報
【特許文献４】特開２０１０−５３２８３号公報
【特許文献５】特開２００２−２００７２０号公報
【特許文献６】特開２００８−１７４７９１号公報
【特許文献７】特開２０１３−４７３４１号公報
【発明の概要】
【０００６】
本発明は、小型化及び薄型化したレンズであっても良好な接着状態でレンズをホルダー等の他の部材内に保持できるレンズユニットを提供することを目的とする。
【０００７】
また、本発明は、当該レンズユニットを組み込んだカメラモジュールを提供することを目的とする。
【０００８】
上記課題を解決するため、本発明に係るレンズユニットは、複数のレンズを有するレンズユニットであって、少なくとも最も像側のレンズは、熱可塑性樹脂組成物で形成され、樹脂製の接着剤を用いて他の部材に固定され、熱可塑性樹脂組成物は、脂環式骨格を持ち、分子鎖側鎖にヘテロ原子を持つ極性基を有する。
【０００９】
上記レンズユニットでは、最も像側に官能基を持つ樹脂材料で形成したレンズを配置し接着固定する。つまり、全体の光学性能の影響を比較的受けにくい最も像側のレンズの材料に接着剤と相性又は接着性の良い極性基を有する熱可塑性樹脂組成物を選択的に用いる。これにより、吸湿による屈折率変動等による光学性能、衝撃耐性を高くすることができる。
【００１０】
本発明の具体的な側面では、上記レンズユニットにおいて、ヘテロ原子は、酸素である。この場合、光学性能の劣化を少なくしつつ、接着性の向上を図ることができる。
【００１１】
本発明の別の側面では、極性基は、エステル基である。この場合、光学性能の劣化を少なくしつつ、接着性の向上を図ることができる。
【００１２】
本発明のさらに別の側面では、少なくとも最も像側のレンズの光軸方向における最薄部の厚さは、０．０５ｍｍ以上０．１５ｍｍ以下である。このような最薄部を有するレンズの場合、レンズの外周にあるフランジの厚さが薄くなるため、接着面積が狭くなる。そのため、少なくとも最も像側のレンズを上記のような組成にすることにより、接着面積が狭くても接着性を向上させることができる。
【００１３】
本発明のさらに別の側面では、少なくとも最も像側のレンズの直径は、３ｍｍ以上８ｍｍ以下である。このような直径サイズを有するレンズの場合、レンズの外周にあるフランジの厚さが薄くなるため、接着面積が狭くなる可能性がある。そのため、少なくとも最も像側のレンズを上記のような組成にすることにより、接着面積が狭くても接着性を向上させることができる。
【００１４】
本発明のさらに別の側面では、最も像側のレンズを除いた少なくとも１つのレンズは、極性基を有しない樹脂組成物で形成される。この場合、最も像側のレンズ以外が接着剤と相性又は接着性が不十分であっても、レンズユニットの光学性能を保持しつつ、最も像側のレンズの接着固定によって他の部材への固定を確実にすることが容易となる。
【００１５】
本発明のさらに別の側面では、熱可塑性樹脂組成物は、シクロオレフィン系樹脂で形成される。この場合、レンズの成形性を良好なものとすることができる。
【００１６】
本発明に係るカメラモジュールは、上述のレンズユニットと、当該レンズユニットによる像を検出する撮像素子とを備える。
【００１７】
上記カメラモジュールでは、上述のような吸湿による屈折率変動による光学性能の劣化を抑えつつ、衝撃耐性の高いレンズユニットを備えることにより、小型ながら良好な光学特性を実現できる。
【図面の簡単な説明】
【００１８】
【図１】本発明の一実施形態のレンズユニット及びカメラモジュールを説明する概念図である。
【図２】（Ａ）は、本発明の一実施形態のレンズユニットのうち最も像側のレンズの側方断面図であり、（Ｂ）は、（Ａ）のレンズの平面図である。
【図３】（Ａ）は、図２（Ａ）に示すレンズを射出成形によって形成するための金型の要部を説明する図であり、（Ｂ）は、溶融樹脂の供給を説明する図であり、（Ｃ）は、レンズを成形するための成形金型の断面概念図である。
【図４】レンズユニットを他の部材に組み込んだ状態を説明する概念図である。
【図５】レンズユニットの実施例を説明する概念図である。
【発明を実施するための形態】
【００１９】
以下、本発明の一実施形態に係るレンズユニット等について、図面を参照しつつ説明する。
【００２０】
図１は、本発明の一実施形態であるレンズユニットを備えるカメラモジュール等を説明する断面概念図である。
【００２１】
カメラモジュール３００は、被写体像を形成するレンズユニット２００と、レンズユニット２００によって形成された被写体像を検出する撮像素子５１と、この撮像素子５１を背後から保持するとともに配線等を有する配線基板５２と、レンズユニット２００等を保持するとともに物体側からの光束を入射させる開口部ＯＰを有する鏡筒部５４とを備える。レンズユニット２００は、被写体像を撮像素子５１の像面又は撮像面（被投影面）Ｉに結像させる機能を有する。このカメラモジュール３００は、撮像装置に組み込まれて使用されるが、単独でも撮像装置と呼ぶものとする。
【００２２】
レンズユニット２００は、物体側から順に、開口絞りＳＴと、第１レンズＬ１と、第２レンズＬ２と、第３レンズＬ３と、第４レンズＬ４と、第５レンズＬ５と、ＩＲカットフィルターＦＬとを備える。レンズユニット２００を構成するレンズＬ１〜Ｌ５のうち少なくとも最も像側の第５レンズＬ５は、ホルダーである鏡筒部５４に接着剤によって接着固定されている。
【００２３】
撮像素子５１は、固体撮像素子からなるセンサーチップである。撮像素子５１の光電変換部５１ａは、ＣＣＤ（電荷結合素子）やＣＭＯＳ（相補型金属酸化物半導体）からなり、入射光をＲＧＢ毎に光電変換し、そのアナログ信号を出力する。受光部としての光電変換部５１ａの表面は、像面又は撮像面（被投影面）Ｉとなっている。
【００２４】
配線基板５２は、撮像素子５１を他の部材（例えば鏡筒部５４）に対してアライメントして固定する役割を有する。配線基板５２は、外部回路から撮像素子５１や駆動機構５５ａを駆動するための電圧や信号の供給を受けたり、また、検出信号を上記外部回路へ出力したりすることを可能としている。
【００２５】
鏡筒部５４は、撮像用のレンズユニット２００を収納し保持している。鏡筒部５４は、レンズユニット２００を構成するレンズを光軸ＡＸに沿って移動させることにより、レンズの合焦の動作を可能にするため、例えば駆動機構５５ａを有している。駆動機構５５ａは、例えばボイスコイルモーターとガイドとを備え、特定のレンズを光軸ＡＸに沿って往復移動させる。鏡筒部５４は、例えば樹脂、ガラス、金属等で形成されている。
【００２６】
撮像装置４００は、既に説明したカメラモジュール３００のほかに、制御部６３、光学系駆動部６５、撮像素子駆動部６７、画像メモリー６８等を備える。
【００２７】
制御部６３は、撮像装置４００の各部を制御する。制御部６３は、ＣＰＵ（Central Processing Unit）、ＲＡＭ（Random Access Memory）、ＲＯＭ（Read Only Memory）等を含み、ＲＯＭから読み出されてＲＡＭに展開された各種プログラムとＣＰＵとの協働によって各種処理を実行する。
【００２８】
光学系駆動部６５は、制御部６３の制御により合焦、露出等を行う際に、駆動機構５５ａを動作させて制御する。光学系駆動部６５は、駆動機構５５ａを動作させて光軸ＡＸに沿って適宜移動させることにより、レンズに合焦動作を行わせる。
【００２９】
撮像素子駆動部６７は、制御部６３の制御により露出等を行う際に、撮像素子５１の動作を制御する。具体的には、撮像素子駆動部６７は、タイミング信号に基づいて撮像素子５１を走査駆動させて制御する。また、撮像素子駆動部６７は、撮像素子５１から出力された検出信号又は光電変換信号としてのアナログ信号をデジタルの画像データに変換する。さらに、撮像素子駆動部６７は、撮像素子５１によって検出された画像信号に対して、歪み補正、色補正、圧縮等の各種画像処理を施すことができる。
【００３０】
画像メモリー６８は、デジタル化された画像信号を撮像素子駆動部６７から受け取って、読み出し及び書き込み可能な画像データとして記憶する。
【００３１】
以下、レンズユニット２００のうち最も像側の第５レンズＬ５について説明する。
図２（Ａ）及び２（Ｂ）に示すように、第５レンズＬ５は、平面視円形の輪郭を有し、光学的機能を発揮するレンズ本体１０と、レンズ本体１０の周囲にあって支持に利用されるフランジ部２０とを有する。レンズ本体１０は、全体として両凹型の素子であり、第１光学面１１と第２光学面１２とを有する。両光学面１１，１２は、いずれも非球面であり、特に第１光学面１１は、中央部１０ａにおいて凹形状を有しつつ周辺部１０ｂおいて環状の凸形状を有する。フランジ部２０は、比較的肉厚が大きいが、半径方向の幅は狭くなっている。つまり、最外縁１０ｃでは、再度肉厚が薄くなっている。第５レンズＬ５は、中央部１０ａに光軸ＡＸ方向の厚みが最も小さい最薄部１４ａを有するとともに周辺部１０ｂに光軸ＡＸ方向の厚みが最も大きい最厚部１４ｂを有する。最薄部１４ａは、光軸ＡＸ上に設けられ、最厚部１４ｂは、中央部１０ａと外縁部１０ｃとの間に設けられている。つまり、レンズ本体１０は、中央部１０ａで薄く周辺部１０ｂで厚い。第５レンズＬ５の光軸ＡＸ方向における最薄部１４ａの厚さＨは、０．０５ｍｍ以上０．１５ｍｍ以下となっている。また、第５レンズＬ５の直径Ｄは、３ｍｍ以上８ｍｍ以下となっている。第５レンズＬ５は、他のレンズＬ１〜Ｌ４よりも直径が比較的大きくなっている。
【００３２】
第５レンズＬ５は、熱可塑性樹脂組成物を用いて射出成形によって形成されたものである。熱可塑性樹脂組成物は、脂環式骨格を持ち、分子鎖側鎖にヘテロ原子を持つ極性基を有する。具体的には、熱可塑性樹脂組成物は、例えば、シクロオレフィン系樹脂で形成される。シクロオレフィン系樹脂は、環状オレフィン・ポリマー（ＣＯＰ）樹脂や環状オレフィン・コポリマー（ＣＯＣ）樹脂を基本要素とし、必要に応じて成形を容易にするための添加剤や製品の性能を向上させるための添加剤を含めることができる。環状オレフィン・ポリマー（ＣＯＰ）は、ノルボルネン等のシクロオレフィン類から合成される非晶性のポリマーである。環状オレフィン・コポリマー（ＣＯＣ）樹脂は、ノルボルネン等のシクロオレフィン類とエチレン等の他のモノマーとを共重合した非晶性のポリマーである。また、ヘテロ原子は、例えば酸素、窒素、硫黄等であるまた、極性基は、例えばエステル基、ヒドロキシ基、カルボキシル基、アルデヒド基、アシル基、アセチル基、アミノ基、シアノ基、アゾ基、イソシアネート基、ニトロ基、スルホ基、チオール基等である。
【００３３】
シクロオレフィン系の樹脂組成物のうち環状オレフィン・ポリマー（ＣＯＰ）樹脂は、一般に下式（１）で示される構造骨格を有するものである。
【化１】
2015001666.tif 000003
式（１）中のＲ１及びＲ２のいずれかはヘテロ原子を持つ極性基であり、極性基以外の場合は水素原子、ハロゲン原子（フッ素、塩素、臭素又はヨウ素）を含む連結基を有してもよい置換基又は非置換の炭素原子数１〜３０の炭化水素基である。
また、シクロオレフィン系の樹脂組成物のうち環状オレフィン・コポリマー（ＣＯＣ）樹脂は、一般に下式（２）で示される構造骨格を有するものである。
【化２】
2015001666.tif 000004
式（２）中のＸは独立に式「−ＣＨ＝ＣＨ−」で表される基又は式「−ＣＨ２−ＣＨ２−」で表される基である。
【００３４】
また、ノボルネン系樹脂組成物は、一般に下式（３）で表されるものである（特開２００３−１４９０１号公報参照）。
【化３】
2015001666.tif 000005
式（３）中のｍは１以上の整数、ｐは０又は１以上の整数である。また、Ｘは独立に式「−ＣＨ＝ＣＨ−」で表される基又は式「−ＣＨ２−ＣＨ２−」で表される基である。また、Ｒ１〜Ｒ４の少なくとも１つはヘテロ原子を持つ極性基であり、極性基以外の場合は水素原子、ハロゲン原子（フッ素、塩素、臭素又はヨウ素）を含む連結基を有してもよい置換基又は非置換の炭素原子数１〜３０の炭化水素基である。
【００３５】
なお、レンズユニット２００において、第５レンズＬ５を除く他のレンズＬ１〜Ｌ４の少なくとも１つは、第５レンズＬ５と異なり、極性基を有しない樹脂組成物や脂環式骨格を有しない樹脂組成物で形成されている。極性基を有しない樹脂組成物として、例えば極性基を有しないＣＯＰ、ＣＯＣ等が挙げられる（特開２００３−７３５５９号公報参照）。脂環式骨格を有しない樹脂組成物として、例えばアクリル、ポリカーボネート等が挙げられる。
【００３６】
以下、第５レンズＬ５の製造方法について説明する。図３（Ａ）及び３（Ｂ）は、第５レンズＬ５を成形するための金型を説明する図である。金型装置７０は、第１金型７１と第２金型７２とを備える。第１金型７１と第２金型７２とは、型合わせ面ＰＬで型合わせされ、金型７１，７２間にキャビティ７０ａを形成する。キャビティ７０ａに臨むように、第１金型７１には、第５レンズＬ５の第１光学面１１の形状を転写するための転写面７１ａが形成され、第２金型７２には、第５レンズＬ５の第２光学面１２の形状を転写するための転写面７２ａが形成されている。転写面７１ａ，７２ａは、フランジ部２０の表面を転写するための部分ともなっている。金型装置７０には、キャビティ７０ａに連通するゲートＧＡが形成されている。この場合、ゲートＧＡは、転写面７１ａ，７２ａの中央ではなく側方に配置されており、サイドゲート方式で射出成形が行われる。
【００３７】
図３（Ｃ）は、金型装置７０の全体構造を説明する断面図である。図３（Ａ）等に示すキャビティ７０ａには、ゲートＧＡを介してランナーＲＡが連結され、ランナーＲＡは、樹脂供給側のスプルーＳＰに繋がっている。結果的に、熱可塑性樹脂を溶融させることによって得たスプルーＳＰからの溶融樹脂Ｊは、ランナーＲＡを充填し、ゲートＧＡを介してキャビティ７０ａを充填する。溶融樹脂Ｊの冷却後に第１金型７１と第２金型７２とを離間させることで、スプルーＳＰに対応するスプルー部８１と、ランナーＲＡに対応するランナー部８２と、ゲートＧＡに対応するゲート部８３と、キャビティ７０ａに対応する成形品本体８４とを備える成形品８０が形成される。ここで、ゲート部８３に対しては、ゲートカット処理が施され、ゲート部８３の先の成形品本体８４によって、第５レンズＬ５が得られる。
【００３８】
以下、図４を参照しつつ、第１〜第５レンズＬ１〜Ｌ５の他の部材である鏡筒部５４への取り付け方法について説明する。既に説明したように、第５レンズＬ５は、接着剤Ｂを用いて鏡筒部５４に接着固定されている。鏡筒部５４へのレンズＬ１〜Ｌ５の組み込みは比較的小さい第１レンズＬ１から比較的大きい第５レンズＬ５の順に行われる。最終組み込みレンズである第５レンズＬ５で鏡筒部５４に蓋をすることで鏡筒部５４内に第１〜第４レンズＬ１〜Ｌ４が封止された状態となる。
【００３９】
鏡筒部５４には、第１、第３〜第５レンズＬ１，Ｌ３〜Ｌ５を嵌め込むための凹部Ｒ１〜Ｒ４が形成されている。鏡筒部５４には、物体側すなわち第１レンズＬ１から順に各レンズＬ１，Ｌ３〜Ｌ５を対応する凹部Ｒ１〜Ｒ４に嵌め込む。なお、本実施形態において、第２レンズＬ２のフランジ部には、第１レンズＬ１とのアライメント用の凸部が形成されている。鏡筒部５４へのレンズの組み込みにおいて、第２レンズＬ２の位置は、この凸部によって規定される。最も像側の第５レンズＬ５を嵌め込んだ後、像側すなわち第５レンズＬ５の露出している側に接着剤Ｂを塗布する。接着剤Ｂは、第５レンズＬ５が確実に固定されるように第５レンズＬ５の外縁部１０ｃの数か所（例えば５か所）に点在して塗布される。接着剤Ｂの材料としては、例えば光硬化性樹脂が用いられる。光硬化性樹脂としては、例えばアクリル系樹脂、シリコン系樹脂、ウレタン系樹脂、ポリエステル系樹脂、エポキシ系樹脂等が挙げられる。接着剤Ｂが光硬化性樹脂の場合、接着剤Ｂを塗布後、紫外線を照射して接着剤Ｂを硬化させる。これにより、第５レンズＬ５が鏡筒部５４に接着固定され、延いては第１〜第４レンズＬ１〜Ｌ４が鏡筒部５４内に固定される。つまり、第１レンズＬ１は第２レンズＬ２で押さえられ、第２レンズＬ２は第３レンズＬ３で押さえられ、第３レンズＬ３は第４レンズＬ４で押さえられ、第４レンズＬ４は第５レンズＬ５で押さえられ、第１〜第５レンズＬ１〜Ｌ５全体が固定される。第５レンズＬ５の材料に接着剤Ｂと相性又は接着性の良い極性基を有する熱可塑性樹脂組成物が用いられているため、第５レンズＬ５は鏡筒部５４に確実に固定される。なお、本実施形態において、第１及び第２レンズＬ１，Ｌ２以外は、隣接するレンズのフランジ同士が接していないが、他のレンズＬ３〜Ｌ５についても隣接するレンズのフランジ同士が接していてもよい。
【００４０】
以上説明した上記レンズユニットによれば、最も像側に官能基を持つ樹脂材料で形成した第５レンズＬ５を配置し接着固定する。つまり、全体の光学性能の影響を比較的少なくしやすい最も像側の第５レンズＬ５の材料に接着剤Ｂと相性又は接着性の良い極性基を有する熱可塑性樹脂組成物を選択的に用いる。これにより、吸湿による屈折率変動等による光学性能、衝撃耐性を高くすることができる。
【００４１】
〔実施例〕
以下、具体的な実施例について説明する。実施例においては、材料としてエステル基を側鎖に持つシクロオレフィンを用いて第５レンズＬ５を作製した。第５レンズＬ５の直径は、４．６６ｍｍであり、フランジ部２０の外縁部１０ｃの厚さは、０．５ｍｍである。第５レンズＬ５をホルダーＨＲに嵌め込み、最も像側にある第５レンズＬ５の外縁部１０ｃに像側から接着剤Ｂを５か所塗布し、第５レンズＬ５をホルダーＨＲに接着固定させた。本実施例では、図５に示すように、便宜上、１枚のレンズをホルダーＨＲに接着固定し、物体側すなわち接着剤Ｂが設けられていない側から光軸ＡＸに平行な方向に力を加えた。この際、第５レンズＬ５がホルダーＨＲから剥がれる力（剥離力）を測定した。以下の表１は、実施例のサンプルの剥離力をまとめたものである。剥離力が２０Ｎ以上であれば、衝撃強度が良好であることを示す。なお、サンプル１〜３において、３種類の異なる接着剤を用いている。
〔表１〕
2015001666.tif 000006
表１からわかるように、実施例の第５レンズＬ５の材料としてエステル基を側鎖に持つシクロオレフィンを用いると、いずれのサンプルにおいても剥離力が２０Ｎ以上となり、衝撃強度が良好であった。
【００４２】
〔比較例〕
以下、比較例について説明する。比較例においては、材料として無官能シクロオレフィンを用いてレンズを作製した。レンズの大きさや剥離力の測定方法等は、上記実施例と同様である。以下の表２は、比較例のサンプルの剥離力をまとめたものである。なお、サンプル４〜６において、３種類の異なる接着剤を用いている。
〔表２〕
2015001666.tif 000007
表２からわかるように、比較例のレンズの材料として極性基を持たない無官能シクロオレフィンを用いると、いずれのサンプルにおいても剥離力が２０Ｎを下回り、衝撃強度が不良であった。
【００４３】
以上、本実施形態としてのレンズユニット２００等について説明したが、本発明に係る撮像用のレンズは上記のものには限られない。例えば、レンズユニット２００の形状は、図１等に例示するものに限らず、光学設計の適正化によって決定される様々な面形状を有するものとできる。例えば、第５レンズＬ５は、最薄部１４ａが中央部１０ａの光軸ＡＸ上に設けられたものに限らず、中央部１０ａが若干厚く中央部１０ａに隣接する外側に最薄部１４ａが設けられたものであってもよい。
【００４４】
また、上記実施形態では、レンズユニット２００のうち最も像側のレンズ（最終玉）である第５レンズＬ５が、官能基を持つ樹脂材料で射出成形されるものであるとしているが、最も像側でない他のレンズＬ１〜Ｌ４のいずれかを第５レンズＬ５と同様の性質を有するレンズとすることもできる。また、図１に示すレンズユニット２００の構成は、単なる例示であり、レンズユニット２００を構成するレンズ数は、３枚、４枚、６枚以上とすることができる。
【００４５】
また、上記実施形態において、鏡筒部５４の凹部Ｒ１〜Ｒ４の形状は例示であり、レンズユニット２００のレンズ形状やレンズ構成により適宜変更することができる。
【００４６】
上記実施形態で説明したレンズユニット２００等の製造方法は、単なる例示であり、例示されていない様々な手法を用いることができる。
【００４７】
また、上記実施形態において、レンズＬ１〜Ｌ５間に遮光絞りを設けてもよい。
【００４８】
また、上記実施形態において、第５レンズＬ５と撮像素子５１との間にＩＲカットフィルターＦＬを設けたが、ＩＲカットフィルター以外の平行平板を設けてもよい。また、ＩＲカットフィルターＦＬを設けなくてもよい。
【００４９】
第５レンズＬ５を鏡筒部５４に接着固定させたが、レンズを固定させる他の部材としては、鏡筒部５４以外のものでもよい。
【００５０】
また、上記実施形態において、第５レンズＬ５を鏡筒部５４に接着固定させたが、第１〜第４レンズＬ１〜Ｌ４のいずれかを鏡筒部５４に接着固定させてもよい。この場合、第１〜第４レンズＬ１〜Ｌ４のいずれかの接着強度が弱くても、本止めとして接着固定される第５レンズＬ５の接着強度が比較的高いため、レンズユニット２００の衝撃耐性を保つことができる。
【符号の説明】
【００５１】
１０…レンズ本体、  １０ａ…中央部、  １０ｂ…周辺部、  １０ｃ…外縁部、  １１，１２…光学面、  １４ａ…最薄部、  １４ｂ…最厚部、  ２０…フランジ部、  ５１…撮像素子、  ５２…配線基板、  ５４…鏡筒部、  ６５…光学系駆動部、  ６７…撮像素子駆動部、  ７０…金型装置、  ７０ａ…キャビティ、  ７１，７２…金型、  ７１ａ，７２ａ…転写面、  ８０…成形品、  ８２…ランナー部、  ８３…ゲート部、  ８４…成形品本体、  ２００…レンズユニット、  ３００…カメラモジュール、  ４００…撮像装置、  ＡＲ…反対側領域、  ＡＸ…光軸、  Ｂ…接着剤、  ＦＬ…ＩＲカットフィルター、  Ｉ…撮像面、  Ｌ１-Ｌ５…レンズ
【図１】
2015001666.tif 000008
【図２】
2015001666.tif 000009
【図３】
2015001666.tif 000010
【図４】
2015001666.tif 000011
【図５】
2015001666.tif 000012